(57)【要約】【課題】取り付け作業が容易で、接着層が表面から見えない美観に優れた凹部を備えたカウンターおよびその取付方法を提供すること。【解決手段】人工大理石製のカウンター部２１に開口部２７を設け、開口部２７に凹部２２ａを構成する人工大理石製のボウル２４を取り付けて凹部を備えたカウンター２０を構成した。そして、ボウル２４を、凹部を有する本体２２と、本体２２における凹部の周縁部に形成されたフランジ部２３とで構成するとともに、フランジ部２３の外周面を上部側が外側に向って突出した傾斜面２３ａに形成した。また、開口部２７の内周面に下部側が内側に向って突出した傾斜面２７ａを形成して、両傾斜面２３ａ，２７ａを接面させることにより開口部２７にボウル２４を取り付けた。また、開口部２７の傾斜面２７ａおよびフランジ部２３の傾斜面２３ａの傾斜角度を垂直方向を基準として２０度以上５０度以下に設定した。【選択図】  図２
2004329462.tif 000002
【特許請求の範囲】
【請求項１】
人工大理石製のカウンター板に開口部を設け、前記開口部に人工大理石製の凹状体を取り付けて構成される凹部を備えたカウンターであって、前記凹状体を、凹部を有する本体と、前記本体における凹部の周縁部に形成されたフランジ部とで構成するとともに、前記フランジ部の外周面を上部側が下部側よりも外側に向って突出した傾斜面に形成し、前記開口部の周面に下部側が上部側よりも内側に向って突出した傾斜面を形成して、前記両傾斜面を接面させた状態で前記カウンター板の開口部に前記凹状体を取り付けたことを特徴とする凹部を備えたカウンター。
【請求項２】
前記開口部の周面の傾斜角度および前記フランジ部の外周面の傾斜角度を垂直方向を基準として１０度以上７０度以下に設定した請求項１に記載の凹部を備えたカウンター。
【請求項３】
前記開口部の周面における傾斜面の下側部分に、前記開口部の中心に向って延びる突出部を形成し、前記突出部の上面で前記フランジ部の下面を支持するようにした請求項１または２に記載の凹部を備えたカウンター。
【請求項４】
内周面に、下部側が上部側よりも内側に向って突出した傾斜面が形成された開口部を人工大理石製のカウンター板に設ける開口部形成工程と、凹部を有する本体と前記本体の凹部の周縁部に形成されたフランジ部とからなる人工大理石製の凹状体における前記フランジ部の外周面に上部側が下部側よりも外側に向って突出した傾斜面を形成する傾斜面形成工程と、前記凹状体の傾斜面を前記開口部の傾斜面に位置合わせして前記凹状体を前記カウンター板に取り付ける凹状体取付工程と、前記カウンター板と前記フランジ部との上面における境界部分が平坦面になるように研磨する研磨工程とを備えたことを特徴とする凹部を備えたカウンターの取付方法。
【請求項５】
前記開口部形成工程が、開口部の内周面における傾斜面の下側部分に、前記フランジ部の下面を支持するための突出部を形成する突出部形成工程を含む請求項４に記載の凹部を備えたカウンターの取付方法。
【発明の詳細な説明】
【０００１】
【発明の属する技術分野】
本発明は、洗面化粧台やキッチン等に用いられる人工大理石製の凹部を備えたカウンターおよびその取付方法に関する。
【０００２】
【従来の技術】
従来から、洗面化粧台やキッチン等には、ボウルやシンクを備えたカウンターが設けられており、このようなカウンターの中に美観や高級感を向上させるために、人工大理石で構成されるものがある（例えば、特許文献１参照）。このカウンターはカウンター板とボウルやシンクなどの凹状体とで構成されている。凹状体は、凹部を備えた本体と、凹部の周縁部に形成された幅の狭いフランジ部とで構成されており、カウンター板に設けられた開口部の周縁部下面にフランジ部の上面を接着させることにより凹状体をカウンターに取り付けている。そして、カウンター板の開口部の周面と凹状体の凹部における上端側周面とを面取り加工して連続した滑らかな加工処理面に形成している。
【０００３】
【特許文献１】
特許第３３４５３２０号公報
【０００４】
【発明が解決しようとする課題】
しかしながら、前述した従来のカウンターでは、凹状体をカウンター板の下面に固定するため取り付け作業がしづらく面倒になるという問題がある。また、カウンター板と凹状体との接着層が表面に露呈したり、透明性の高いカウンター板を用いた場合、凹状体のフランジ部が表面から見えたりして美観上好ましくないという問題もある。
【０００５】
【発明の概要】
本発明は、上記問題に対処するためになされたもので、その目的は、取り付け作業が容易で、接着層が表面から見えない美観に優れた凹部を備えたカウンターおよびその取付方法を提供することである。
【０００６】
上記の目的を達成するため、本発明にかかる凹部を備えたカウンターの構成上の特徴は、人工大理石製のカウンター板に開口部を設け、開口部に人工大理石製の凹状体を取り付けて構成される凹部を備えたカウンターであって、凹状体を、凹部を有する本体と、本体における凹部の周縁部に形成されたフランジ部とで構成するとともに、フランジ部の外周面を上部側が下部側よりも外側に向って突出した傾斜面に形成し、開口部の周面に下部側が上部側よりも内側に向って突出した傾斜面を形成して、両傾斜面を接面させた状態でカウンター板の開口部に凹状体を取り付けたことにある。
【０００７】
このように構成した本発明による凹部を備えたカウンターによれば、カウンター板の開口部の内周面および凹状体のフランジ部の外周面が互いに接面することによりカウンター板で凹状体を支持できる傾斜面に形成されている。したがって、カウンター板への凹状体の取り付けは、開口部にフランジ部を合わせるようにして、カウンター板の上方から凹状体を降下させることにより行え、取り付け作業が容易になる。
【０００８】
この場合、カウンター板と凹状体との境界部はシンクを構成する凹部から離れた位置になるため、目立たなくなる。さらに、カウンター板を透明性の高い材料で構成しても下面側の境界部は表面から見え難くなる。これによって、よりカウンターの美観が向上するようになる。なお、この場合の開口部およびフランジ部の形状は、円形、楕円形、四角形、三角形等、開口部にフランジ部を上方から取り付けることのできる形状であればどのような形状でもよい。
【０００９】
また、本発明にかかる凹部を備えたカウンターの他の構成上の特徴は、開口部の内周面の傾斜角度およびフランジ部の外周面の傾斜角度を垂直方向を基準として１０度以上７０度以下に設定したことにある。これによると、開口部の内周面とフランジ部の外周面との傾斜角度が適正範囲になり、凹状体の取り付け作業がさらに容易になるとともに、カウンター板と凹状体との下面側の境界部をさらに見え難くすることができる。
【００１０】
また、本発明にかかる凹部を備えたカウンターのさらに他の構成上の特徴は、開口部の内周面における傾斜面の下側部分に、開口部の中心に向って延びる突出部を形成し、突出部の上面でフランジ部の下面を支持するようにしたことにある。これによると、凹状体が、開口部の傾斜面だけでなく突出部の上面によっても支持されるようになるため、安定した状態で凹状体の支持ができるようになる。また、この場合の突出部としては、開口部の中心に向って延びる内向きフランジ状のもの、棒体を開口部の中心に向けて放射状に形成したもの、内周面の円周に沿って所定間隔で半球状の突起を形成したもの等で構成することができる。
【００１１】
また、本発明にかかる凹部を備えたカウンターの取付方法の構成上の特徴は、内周面に、下部側が上部側よりも内側に向って突出した傾斜面が形成された開口部を人工大理石製のカウンター板に設ける開口部形成工程と、凹部を有する本体と本体の凹部の周縁部に形成されたフランジ部とからなる人工大理石製の凹状体におけるフランジ部の外周面に上部側が下部側よりも外側に向って突出した傾斜面を形成する傾斜面形成工程と、凹状体の傾斜面を開口部の傾斜面に位置合わせして凹状体をカウンター板に取り付ける凹状体取付工程と、カウンター板とフランジ部との上面における境界部分が平坦面になるように研磨する研磨工程とを備えたことにある。
【００１２】
この凹部を備えたカウンターの取付方法によれば、開口部とフランジ部との傾斜面を合わせて、カウンター板の上方から凹状体を降下させることによりカウンター板への凹状体の取り付けが行えるため、取り付け作業が容易になる。また、カウンター板とフランジ部との上面における境界部分を平坦面にするための研磨工程を備えているため、カウンターの表面が、美観に優れた綺麗な面になり、カウンター板とフランジ部との表面側の境界部分が見え難くなる。
【００１３】
また、この場合、フランジ部をやや厚めまたは大きめに形成した凹状体を開口部に取り付け、フランジ部の上面を研磨によって削ることによりカウンター板の上面に揃えることが好ましい。これによると、研磨工程が簡単になる。また、凹状体取付工程の中に、開口部の内周面とフランジ部の外周面とを接着する接着工程を含ませることもできる。これによると、凹状体のより確実な固定ができる。
【００１４】
また、本発明にかかる凹部を備えたカウンターの取付方法の他の構成上の特徴は、開口部形成工程が、開口部の内周面における傾斜面の下側部分に、フランジ部の下面を支持するための突出部を形成する突出部形成工程を含むことにある。これによると、カウンター板による凹状体の支持がより安定したものになる。
【００１５】
【発明の実施の形態】
以下、本発明の一実施形態を図面を用いて説明する。図１は本発明による凹部を備えたカウンター２０が取り付けられた洗面化粧台１０を示している。この洗面化粧台１０は、表面（前面）に観音開きの扉が形成された収容部１１や複数の引き出し１２，１３，１４を備えている。そして、上面部分が本発明による凹部を備えたカウンター２０で構成され、凹部を備えたカウンター２０の後端部上方に鏡（図示せず）が前面に向けて取り付けられている。
【００１６】
この凹部を備えたカウンター２０においては、洗面化粧台１０の上面を形成するカウンター部２１が人工大理石からなる板状体で構成され、カウンター部２１の一方（図１の左側部分）に本発明の凹部２２ａが形成されている。凹部２２ａは、本体２２とフランジ部２３とによって構成された本発明の凹状体であるボウル２４における本体２２の上面によって構成されている。ボウル２４も人工大理石からなっており、本体２２の後部側部分には間隔を保って２個の水栓用穴部２５ａ，２５ｂが形成され、本体２２の中央部には排水孔用穴部２６が形成されている。
【００１７】
また、カウンター部２１におけるボウル２４が設けられた部分には、図２に示した開口部２７が設けられている。この開口部２７の周面は、垂直方向に対する角度θが略３５度になる傾斜面２７ａに形成されており、開口部２７の中心点を通る縦断面における上端部間の長さは下端部間の長さよりも長くなるように設定されている。また、フランジ部２３の外周面も、垂直方向に対する角度θが略３５度になる傾斜面２３ａに形成されており、フランジ部２３の中心点を通る縦断面における上端部間の長さは下端部間の長さよりも長くなるように設定されている。すなわち、フランジ部２３の外周面は、上端部側が下端部側よりも外側に向って突出した傾斜面２３ａに形成されている。
【００１８】
そして、開口部２７の傾斜面２７ａとフランジ部２３の傾斜面２３ａとを接着剤を介して接触させた状態で、ボウル２４は開口部２７に固定されている。また、フランジ部２３の上面は、切削および研磨加工することによりカウンター部２１の上面と連続する平坦面に形成され、カウンター部２１とフランジ部２３との表面側の境界線ａが目立たないようになっている。
【００１９】
つぎに、カウンター部２１にボウル２４を取り付ける方法について説明する。ボウル２４の取り付けは、まず、カウンター部２１に傾斜角度が略３５度の傾斜面２７ａを有する開口部２７を形成し、開口部２７が形成されたカウンター部２１等の各部材を用いて洗面化粧台１０の本体部を形成する。つぎに、ボウル２４のフランジ部２３の外周面を切削加工によって傾斜面２３ａに形成する。この場合、傾斜面２３ａの傾斜角度は、開口部２７の傾斜面２７ａと同じ略３５度にし、フランジ部２３の外径は、開口部２７の内径よりもやや大きめにするとともに、フランジ部２３の厚みはカウンター部２１の厚みよりもやや大きく設定しておく。
【００２０】
ついで、開口部２７の傾斜面２７ａまたはフランジ部２３の傾斜面２３ａに接着剤を塗布して、フランジ部２３を開口部２７に合わせた状態でボウル２４をカウンター部２１に取り付ける。これによって、フランジ部２３の上面がカウンター部２１の上面よりもやや高い位置に浮き上がった状態で、ボウル２４はカウンター部２１に固定される。なお、この場合、フランジ部２３の下面と、カウンター部２１の下面とは略同一面内に位置するようになる。
【００２１】
そして、フランジ部２３の上面におけるカウンター部２１の上面よりも高くなった部分を研磨することにより削り取り、フランジ部２３の上面の高さをカウンター部２１の上面の高さに揃える。この研磨は、公知のサンダーを用いて行い、フランジ部２３の切削量に応じて、荒削り用、荒仕上げ用および仕上げ用のものを使い分ける。これによって、ボウル２４のカウンター部２１への取り付けが終了する。なお、この後、水栓用穴部２５ａ，２５ｂには水栓が取り付けられ、排水孔用穴部２６には、排水孔用金具や栓が取り付けられる。
【００２２】
このように、本実施形態にかかる凹部を備えたカウンター２０では、開口部２７の傾斜面２７ａまたはフランジ部２３の傾斜面２３ａに接着剤を塗布しフランジ部２３を開口部２７に合わせた状態でボウル２４をカウンター部２１の上方から降ろすだけで、ボウル２４をカウンター部２１に取り付けることができるため取り付け作業が容易である。また、この場合、カウンター部２１とフランジ部２３との表面側の境界線ａが、凹部２２ａの縁部でなく凹部２２ａから離れた位置になるため、目につきにくくなる。
【００２３】
さらに、カウンター部２１とフランジ部２３との上面における境界部分をサンダーで研磨して平滑面にするため、カウンター部２１の上面は美観に優れた綺麗な面になる。また、この場合、フランジ部２３の上面がカウンター部２１の上面よりもやや高くなるようにしてボウル２４を開口部２７に取り付けたのちに、フランジ部２３の上面を研磨によって削るため、研磨する量が少なくてすみ研磨工程が簡単になる。また、これによると、境界線ａの部分に隙間が生じることを防止できカウンター部２１の上面を綺麗な面に仕上げることができる。さらに、カウンター部２１を透明性の高い材料で構成した場合でも下面側の境界線は表面から見え難くなる。これによって、より美観が向上するようになる。
【００２４】
図３は、本発明の他の実施形態に係る凹部を備えたカウンター３０を示している。この凹部を備えたカウンター３０では、カウンター部３１の肉厚が、本体３２とフランジ部３３とからなるボウル３４の肉厚よりも大きく設定されている。そして、開口部３７の周面における下部側部分が開口部３７の中心に向って突出した幅の狭い内向きフランジ状の突出部３８に形成され、その突出部３８の上面でフランジ部３３の下面を支持している。また、開口部３７の周面における上部側部分が、フランジ部３３の周面に形成された傾斜面３３ａを支持する傾斜面３７ａに形成されている。この凹部を備えたカウンター３０におけるそれ以外の部分の構成については、前述した凹部を備えたカウンター２０と同一である。
【００２５】
このように構成したため、開口部３７におけるボウル３４を支持する部分が、傾斜面３７ａと突出部３８の上面とになるため、より安定した状態でボウル３４の支持ができるようになる。この場合も、組み付け前のボウル３４のフランジ部３３の外径は、開口部３７の内径に比較してやや大きめに設定しておき、取り付け後にフランジ部３３の上面を削ることにより平面状に加工することが好ましい。この凹部を備えたカウンター３０におけるそれ以外の作用効果については、前述した凹部を備えたカウンター２０と同一である。
【００２６】
また、本発明による凹部を備えたカウンターは、前述した実施形態以外についても技術的範囲内で適宜変更実施が可能である。例えば、前述した実施形態では、開口部２７，３７およびフランジ部２４，３４の形状は、楕円形に近い略円形に形成しているが、この形状は円形や楕円形以外でもよく、四角形、三角形等、開口部にフランジ部を上方から取り付けることのできる形状であればどのような形状にしてもよい。
【００２７】
また、前述した実施形態では、フランジ部２３，３３を大きめに形成しておき、ボウル２４，３４を開口部２７，３７に取り付けたのちに、フランジ部２３，３３の上面を削り取るようにしているが、フランジ部２３，３３の大きさは開口部２７，３７に合わせた大きさに設定してボウル２４，３４を開口部２７，３７に取り付けてもよい。そして、ボウル２４，３４を取り付けた際に、フランジ部２３，３３の上面の高さがカウンター部２１，３１の高さよりも低くなった場合には、カウンター部２１，３１の開口縁部近傍を研磨加工する。この場合、カウンター部２１，３１の上面がフランジ部２３，３３の上面よりも高くなるが、その境界部分は緩い勾配の滑らかな加工面にしておく。
【００２８】
また、フランジ部２３，３３の傾斜面２３ａ，３３ａおよび開口部２７，３７の傾斜面２７ａ，３７ａの傾斜角度は、前述した実施形態では略３５度としたが、この角度は傾斜がついていればよく、垂直方向に対して８０度以下の傾斜角であればよい。ただし、好ましくは、１０度から７０度の間、より好ましくは、２０度から６０度の間、更に好ましくは、２０度から５０度の間に設定することであり、３５度に近い角度に設定することが最も好ましい。
【００２９】
更に、前述した実施形態では、洗面化粧台１０のカウンター２０に適用した場合について説明したが、シンクが取り付けられるキッチンのカウンター等の凹部を備えたカウンターに適用することも可能である。
【図面の簡単な説明】
【図１】本発明の一実施形態による凹部を備えたカウンターが取り付けられた洗面化粧台を示す斜視図である。
【図２】図１の洗面化粧台に取り付けられた凹部を備えたカウンターを示す縦断面図である。
【図３】本発明の他の実施形態による凹部を備えたカウンターを示す縦断面図である。
【符号の説明】
１０…洗面化粧台、２０…凹部を備えたカウンター、２１，３１…カウンター部、２２，３２…本体、２２ａ…凹部、２３，３３…フランジ部、２３ａ，２７ａ，３３ａ，３７ａ…傾斜面、２４，３４…ボウル、２７，３７…開口部。
【図１】
2004329462.tif 000003
【図２】
2004329462.tif 000004
【図３】
2004329462.tif 000005